(57)【要約】【課題】動画同時記録装置において、通常のインターレース動画像再生のできるフォーマットと互換性をとりながら、プログレッシブ画像も効率よく記録することが可能な動画同時記録装置を提供する。【解決手段】撮像レンズから入射された光線を分離する光路分離器と、分離された光を受光し、第１の動画信号として出力する少なくとも１つの受光素子と、第２の動画信号として出力する少なくとも１つの受光素子と、前記第１の動画信号を記録媒体に記録する第１の動画信号記録器と、前記第２の動画信号を記録媒体に記録する第２の動画信号記録器とを備えた動画同時記録装置であって、前記第２の動画は対応する第１の動画像ピクチャーデータのもつ情報を補う、補足動画情報として記録されることを特徴とする。【選択図】      図１
2006197336.tif 000002
【特許請求の範囲】
【請求項１】
撮像レンズと、前記撮像レンズから入射された光線を分離する光路分離器と、前記光路分離器で分離された光を受光し、第１の動画信号として出力する少なくとも１つの受光素子と、前記分配部で分離された光を受光し、第２の動画信号として出力する少なくとも１つの受光素子と、前記第１の動画信号を記録媒体に記録する第１の動画信号記録器と、前記第２の動画信号を記録媒体に記録する第２の動画信号記録器とを備えたオーディオビデオデータ同時記録装置であって、前記第２の動画は対応する第１の動画像ピクチャーデータのもつ情報を補う、補足動画情報として記録されることを特徴とするオーディオビデオ信号記録装置。
【請求項２】
前記第２の動画は対応する第１の動画像ピクチャーデータのもつ情報を補う、補足動画情報として記録されることを特徴とする記録媒体。
【請求項３】
撮像レンズと、前記撮像レンズから入射された光線を分離する光路分離器と、前記光路分離器で分離された光を受光し、第１の動画信号として出力する少なくとも１つの受光素子と、前記分配部で分離された光を受光し、第２の動画信号として出力する少なくとも１つの受光素子と、前記第１の動画信号を記録媒体に記録する第１の動画信号記録器と、前記第２の動画信号を記録媒体に記録する第２の動画信号記録器とを備えたオーディオビデオデータ同時記録装置であって、前記第２の動画は対応する第１の動画像ピクチャーデータのもつ情報を補う、補足動画画情報として記録媒体に記録するとともに、前記第２の動画信号に対応した前記第１の動画像のピクチャーにエントリーする場合に、その前記補足動画情報と動画情報から、第１の動画像データよりも、画像面内あるいは画像時間方向の密度の高い画像を構成し再生することを特徴とするオーディオビデオ信号再生装置。
【請求項４】
撮像レンズから入射された光線を２つに分離し、分離された光の１つを受光して動画信号として入力する動画像入力ステップと、分配部で分離されたもうひとつの光を受光し、静止画信号として出力する静止画像入力ステップと、前記動画信号を記録媒体に記録する動画信号記録ステップと、前記静止画信号を記録媒体に記録する静止画信号記録ステップとを備えたオーディオビデオデータ同時記録方法において、前記第２の動画は対応する第１の動画像ピクチャーデータのもつ情報を補う、補足動画情報として記録するステップをもつことを特徴とするオーディオビデオ信号記録方法。
【請求項５】
撮像レンズから入射された光線を２つに分離し、分離された光の１つを受光して動画信号として入力する動画像入力ステップと、分配部で分離されたもうひとつの光を受光し、静止画信号として出力する静止画像入力ステップと、前記動画信号を記録媒体に記録する動画信号記録ステップと、前記静止画信号を記録媒体に記録する静止画信号記録ステップとを備えたオーディオビデオデータ同時記録方法において、前記第２の動画は対応する第１の動画像ピクチャーデータのもつ情報を補う、補足動画画情報として記録媒体に記録するとともに、その前記補足動画情報と動画情報から、第１の動画像データよりも、画像面内あるいは画像時間方向の密度の高い画像を構成し再生するステップをもつことを特徴とするオーディオビデオ信号再生方法。
【請求項６】
撮像レンズと、前記撮像レンズから入射された光線を受光し、動画信号として出力すると同時に静止画信号として出力する受光素子と、前記第１の動画信号を記録媒体に記録する第１の動画信号記録器と、前記第２の動画信号を記録媒体に記録する第２の動画信号記録器とを備えたオーディオビデオデータ同時記録装置であって、前記第２の動画は対応する第１の動画像ピクチャーデータのもつ情報を補う、補足動画情報として記録されることを特徴とするオーディオビデオ信号記録装置。
【請求項７】
撮像レンズから入射された光線を受光して動画信号として入力する動画像入力すると同時に静止画信号として出力する静止画像入力ステップと、前記動画信号を記録媒体に記録する動画信号記録ステップと、前記静止画信号を記録媒体に記録する静止画信号記録ステップとを備えたオーディオビデオデータ同時記録方法において、前記第２の動画は対応する第１の動画像ピクチャーデータのもつ情報を補う、補足動画情報として記録するステップをもつことを特徴とするオーディオビデオ信号記録方法。
【発明の詳細な説明】
【技術分野】
【０００１】
本発明は、オーディオビデオ信号記録装置、オーディオビデオ信号再生装置、オーディオビデオ信号記録方法、オーディオビデオ信号再生方法、及び記録媒体に関するもので、特に２つのビデオデータ同時記録再生において、通常の画像面内あるいは画像時間方向の密度の高い画像を構成し再生する動画との双方の再生をすることを好適に実現する装置に関するものである。
【背景技術】
【０００２】
従来のカムコーダでは動画と静止画とを一つのＣＣＤを用いて同時記録していた。しかし静止画像の画素数を上げるために画素数の多いＣＣＤを使用すると動画のＳ／Ｎ比が低下するので、解像度の高い静止画とＳ／Ｎ比の優れた動画とを同時記録することが困難であった。
【０００３】
そこで、特開平５−２９２４４５においては、広角レンズによる撮像信号と、ズームレンズによる撮像信号とを、同一の記録媒体に同時記録して、２種類の映像を２つの光学系にて記録する技術が開示されている。
【０００４】
また、特開２００４−７２１４８においては、入射光をプリズム分岐させて動画撮影用ＣＣＤと静止画撮影用ＣＣＤに受光させ、１つの光学系で、２つのＣＣＤを用いて、動画像はＭＰＥＧ圧縮されて記録し、静止画はＪＰＥＧ圧縮してメモリカードに同時に記録される技術が開示されている。
【０００５】
また、同じように特開２０００−２３０９４では、動画像を記録し、所望の場面を静止画像としても記録可能の画像情報の記録又は再生装置を提供する目的で、入力手段により入力された記録データを、エンコーダで動画像用データとして圧縮し、操作ボタンから信号の入力時には、その信号が入力された時点における場面を静止画像用データとしても圧縮してメモリへ出力し、同期信号生成回路からの同期信号に同期して動画像用データと静止画像用データとを記録するためのタイミング信号を生成し、動画像用データと静止画像用データとを光磁気記録媒体に同時記録する技術が開示されている。
【０００６】
また、特開平１１−７６１５９には、対物光学系の光路を二つに分離するハーフミラーの二つの分離光路を用いて、異なる画素位置のデータからなる画像信号を形成するように配置された２つのＣＣＤから、設定された画素以外の欠落画素を周囲の画素信号から演算し、高解像度の画像を生成する技術が開示されている。
【０００７】
また、特開２００２−１５２７４３には記録媒体の破損や、通信の障害などにより、入力符号化データにエラーや、符号化データ自体の供給不足が生じ、正常な復号動作を行えない場合においても、タイマーを設け、もしも、ＣＰＵからの制御がタイマーに対して適切なタイミングできなかった場合、表示部のセレクタは、自動的に静止画画像生成部の出力を選択するように切り替わるようにして、高品位の静止画が出力されるようにする技術が開示されている。
【０００８】
また、ここで使用されているMPEGについて説明する。
MPEGは1988年、ISO/IEC JTC1/SC2（国際標準化機構/国際電気標準化会合同技術委員会1/専門部会2、現在のSC29）に設立された動画像符号化標準を検討する組織の名称（Moving Pictures Expert Group）の略称である。MPEG1（MPEGフェーズ1）は1.5Mbps程度の蓄積メディアを対象とした標準で、静止画符号化を目的としたJPEGと、ISDNのテレビ会議やテレビ電話の低転送レート用の動画像圧縮を目的としたH.261（CCITT SGXV、現在のITU-T SG15で標準化）の基本的な技術を受け継ぎ、蓄積メディア用に新しい技術を導入したものである。これらは1993年8月、ISO/IEC 11172 として成立している。
【０００９】
MPEG２（MPEGフェーズ２）は通信や放送などの多様なアプリケーションに対応できるように汎用標準を目的として、１９９４年１１月ISO/IEC １３８１８、H.２６２として成立している。
【００１０】
MPEGは幾つかの技術を組み合わせて作成されている。入力画像は動き補償器で復号化した画像と、入力画像の差分を取ることで時間冗長部分を削減する。予測の方向は、過去、未来、両方からの３モード存在する。またこれらは16画素×16画素のMB（マクロブロック）ごとに切り替えて使用できる。予測方向は入力画像に与えられたピクチャタイプによって決定される。過去からの予測と、予測をしないでそのMBを独立で符号化する２モード存在するのがPピクチャーである。また未来からの予測、過去からの予測、両方からの予測、独立で符号化する４モード存在するのがBピクチャーである。そして全てのMBが独立で符号化するのがIピクチャーである。動き補償は、動き領域をMBごとにパターンマッチングを行ってハーフペル精度で動きベクトルを検出し、動き分だけシフトしてから予測する。動きベクトルは水平方向と垂直方向が存在し、何処からの予測かを示すMC(Motion Compensation)モードとともにMBの付加情報として伝送される。Iピクチャから次のIピクチャの前のピクチャまでをGOP(Group Of Picture)といい、蓄積メディアなどで使用される場合には、一般に約１５ピクチャ程度が使用される。
【００１１】
差分画像はDCT器において直交変換が行われる。DCT（Discrete Cosine Transform)とは  余弦関数を積分核とした積分変換を有限空間への離散変換する直交変換である。MPEGではMBを４分割し8×8のDCTブロックに対して、２次元DCTを行う。一般にビデオ信号は低域成分が多く高域成分が少ないため、DCTを行うと係数が低域に集中する。
【００１２】
DCTされた画像データ（DCT係数）は量子化器で量子化が行われる。量子化は量子化マトリックスという8×8の２次元周波数を視覚特性で重み付けした値と、その全体をスカラー倍する量子化スケールという値で乗算した値を量子化値として、ＤＣＴ係数をその量子化値で叙算する。デコーダーで逆量子化するときは量子化値で乗算することにより、元のＤＣＴ係数に近似している値を得ることになる。
【００１３】
量子化されたデータはVLC器で可変長符号化される。量子化された値のうち直流（ＤＣ）成分は予測符号化のひとつであるＤＰＣＭ（differential pulse code modulation )を使用する。また交流（ＡＣ）成分は 低域から高域にzigzag scanを行い、ゼロのラン長および有効係数値を１つの事象とし、出現確率の高いものから符号長の短い符号を割り当てていくハフマン符号化が行われる。
【００１４】
可変長符号化されたデータは一時バッファに蓄えられ、所定の転送レートで符号化データとして出力される。また、その出力されるデータのマクロブロック毎の発生符号量は、符号量制御器に送信され、目標符号量に対する発生符号量との誤差符号量を量子化器にフィードバックして量子化スケールを調整することで符号量制御される。量子化された画像データは逆量子化器にて逆量子化、逆DCT器にて逆DCTされ一時、画像メモリーに蓄えられたのち、動き補償予測器において、差分画像を計算するためのリファレンスの復号化画像として使用される。これら全体の符号化構成例を図１０に示す。
【００１５】
符号化されたストリームはバッファリングされ、バッファからのデータはVLD器に入力される。VLD器では可変長復号化され、直流（ＤＣ）成分および交流（ＡＣ）成分を得る。交流（ＡＣ）成分データは低域から高域にzigzag scanの順で８ｘ８のマトリックスに配置する。このデータは逆量子化器に入力され、量子化マトリックスにて逆量子化される。逆量子化されたデータは逆DCT器に入力され、逆DCTされ一時、画像データ（復号化データ）として出力される。また、復号化データは一時、画像メモリーに蓄えられたのち、動き補償予測器において、差分画像を計算するためのリファレンスの復号化画像として使用される。復号化構成例を図１１に示す。
【００１６】
また、近年開発された記録容量が従来のCD等の媒体の数倍から十数倍になる、次世代のディスク媒体のフォーマット技術について説明する。一つはDVD-ROMディスク（DVD Specifications for Read-Only Discに準拠した読み出し専用光ディスク）であり、記録再生が可能なディスクとしてはDVD-RWディスク（DVD Specifications for Re-recordable Discに準拠した再記録可能なディスク）及びDVD-RAMディスク（DVD Specifications for Rewritable Discに準拠した再書き込み可能なディスク）がある。DVD-RWまたはDVD-RAMディスク上にビデオデータを収録する規格も策定されており、その大容量を活かして高画質な動画及び静止画を記録し、様々な編集を経て再生する手法が提供される。
DVD-RWまたはDVD-RAMディスク上（以下、DVD-RW/RAMディスクと略す）にビデオデータを収録する規格、VIDEO RECORDING規格（以下DVD-VRと略す）では、ビデオデータはVOB（Video Object）として記録され、VOB群を記録した順序で全て再生するためのオリジナル管理データ、オリジナルPGC （Original Program Chain）と、ユーザーが選択したVOBの全部又は一部分を任意の順序で再生するためのユーザー定義管理データ、ユーザー定義PGC （User Defined PGC）が定義される。ディスク上に、オリジナルPGCはただ一つ存在し、ユーザー定義PGCは複数存在しうる。 従って、ユーザーは、好みに応じて編集したユーザー定義PGCを使って、好みの再生を行うことが出来る。
"DVD Specifications for Rewritable/Re-recordable Discs、 Part3 VIDEO RECORDING、 Version 1.0"で示されるように、DVD-VRでは、DVD-RW/RAM上のファイルとして複数のファイルを記録する。図１０にその構成を示す。 ルートディレクトリ下にDVD＿RTAVディレクトリがあり、その下にオリジナルPGC、ユーザー定義PGCなど、全ての記録再生管理データを収録するためのVR＿MANGER.IFOファイルを収録する。また、ビデオデータはVR＿MOVIE.VROファイル中に、静止画データはVR＿STILL.VROファイル中に、静止画に付随する追加オーディオデータはVR＿AUDIO.VROファイル中に記録される。 このように、実際の再生データと、記録再生管理データは分離して記録されるので、再生データを変更することなく、ユーザー定義PGCによって任意の再生手順を構築することが出来る。なお、VR＿STILL.VRO中の各静止画は、MPEG Video規格に準拠したMPEGイントラ画像として記録される。
【００１７】
図１１にオリジナルPGCの構造概念図を示す。DVD-VRディスクにビデオデータを記録する場合、例えば１つのテレビ番組を録画する場合、その一続きのビデオデータは、１つのプログラム（Program）として記録され、プログラムは１つまたは複数のセル（Cell）から構成される。一般的には、録画の途中でポーズした場合や、録画後に番組の途中部分を編集で削除した場合などに、プログラムは複数のセルから構成される。各セルは１つのVOBと関連づけられている。各VOBは、MPEG-2システムに準拠したプログラムストリームとして記録され、連続的に再生される単位である。プログラムおよびセルの構造がオリジナルPGCの記録再生管理データであり、VOB群がビデオデータそのものである。ディスク上に最初に記録されたプログラムがProgram1であり、プログラムを追加記録する毎に、Program2、 3、 ...と記録順に追加されていく。オリジナルPGCの再生は、ディスクに記録された全プログラムをプログラム番号順、つまり記録順に再生することに相当する。また、オリジナルPGC上の特定のプログラムを指定して再生することも可能である。
【００１８】
一方、図１２にはユーザー定義PGCの構造概念図を示す。オリジナルPGCとして記録されたVOB群の任意の部分をユーザー定義PGC用のセルとして登録し、ユーザー定義PGCを構成する。各セルは任意のVOBの全部または一部分を参照する。例えば、オリジナルPGCとして記録されたVOBのコマーシャルや不要な場面をカットしたり、２つ以上の番組（Program）の一部分を繋いで再生したりする用途等に適している。新しく定義したユーザー定義PGCを再生することは、そのPGC中の全セルを連続して再生することに相当する。 ユーザー定義PGC中にはプログラムの階層は存在しない。つまり、ユーザー定義PGC自体が、オリジナルPGCで言う１つのプログラムに相当する、と解釈できる。
【００１９】
表５には、オリジナル及びユーザー定義PGC情報（PGCI）の具体的定義内容を示す。PGCIはPGCの一般情報を示すPGC＿GI、各プログラムの付属情報を定義する１つ以上のPGI（オリジナルPGCの場合。ユーザー定義PGCでは定義しない。）、PGC中の各セル情報の検索ポインタCI＿SRP、及び各セル情報M＿CI（動画セルの場合。静止画セルの場合S＿CI。）から成る。
【００２０】
次に、表５中の各要素の内容を説明する。PGC＿GI内には、PGC内のプログラム数を収納するPG＿Ns及びCI＿SRPの数を収納するCI＿SRP＿Nsが定義される。ユーザー定義PGCの場合、プログラムを持たないのでPG＿Nsはゼロである。
【００２１】
PGIは、PG＿Nsで示される個数存在する。各PGI内には、プログラム中のセル数を示すC＿Ns、プログラムに関するテキスト情報を収録するプライマリテキスト情報（PRM＿TXTI）、プログラムに関連するアイテムテキスト情報（PGCIではなく、VR＿MANGR.IFO内の別のデータ構造として別途収録されている）の検索ポインタ番号（IT＿TXT＿SRPN）、プログラムを代表する静止画像の位置を指定する代表静止画情報（REP＿PICTI）、等が定義される。
【００２２】
CI＿SRPは、CI＿SRP＿Nsで示される個数存在する。各CI＿SRPはセル情報CIの先頭アドレスCI＿SAから成る。
M＿CIは、セル一般情報M＿C＿GIと０個以上のセルエントリーポイント情報M＿C＿EPIから成る。M＿C＿GI内には、セルのタイプC＿TY、セルエントリーポイント数C＿EPI、等が定義される。M＿C＿EPI内には、エントリーポイントのタイプEP＿TY（AとB、AはPRM＿TXTIなし、BはPRM＿TXTIあり）、エントリーポイントの再生時刻EP＿PTM、及びエントリーポイントに関するプライマリテキスト情報（PRM＿TXTI）が定義される。
【００２３】
ここで、エントリーポイントとはセル内の任意の時刻を指定し、プログラムやセルの任意の中間地点へのアクセスを可能にする構造である。図１１および図１２中に、セル内に指定されるエントリーポイントの例（EPと示される矢印）を示す。
【００２４】
なお、静止画のセルを再生する場合には、M＿CIの代わりにS＿CIが用いられる。（S＿CIの内容はここでは省略する。） 従って、オリジナルPGC上に動画と静止画を記録する場合はセル毎に混在することになる。ユーザー定義PGC上も、セル毎に動画用セルと静止画用セルを混在させることが出来る。
【特許文献１】特開平５−２９２４４５
【特許文献２】特開２００４−７２１４８
【特許文献３】特開２０００−２３０９４
【特許文献４】特開平１１−７６１５９
【特許文献５】特開平２００２−１５２７４３
【発明の開示】
【発明が解決しようとする課題】
【００２５】
解決しようとする問題点は、２つのビデオデータ同時記録装置において、通常のインターレース動画像再生のできるフォーマットと互換性をとりながら、プログレッシブ画像も効率よく記録する。あるいはプログレッシブ動画像再生のできるフォーマットと互換性をとりながら、時間方向で２倍密度のプログレッシブ画像も効率よく記録し、再生時に高品質なリアルタイム再生や、高品質なスローモーション再生をするシステムがなかった。
【課題を解決するための手段】
【００２６】
そこで、上記課題を解決するために本発明は、以下のオーディオビデオ信号記録装置、オーディオビデオ信号再生装置、オーディオビデオ信号記録方法、オーディオビデオ信号再生方法、及び記録媒体を提供するものである。
（１）撮像レンズと、前記撮像レンズから入射された光線を分離する光路分離器と、前記光路分離器で分離された光を受光し、第１の動画信号として出力する少なくとも１つの受光素子と、前記分配部で分離された光を受光し、第２の動画信号として出力する少なくとも１つの受光素子と、前記第１の動画信号を記録媒体に記録する第１の動画信号記録器と、前記第２の動画信号を記録媒体に記録する第２の動画信号記録器とを備えたオーディオビデオデータ同時記録装置であって、前記第２の動画は対応する第１の動画像ピクチャーデータのもつ情報を補う、補足動画情報として記録されることを特徴とするオーディオビデオ信号記録装置。
（２）前記第２の動画は対応する第１の動画像ピクチャーデータのもつ情報を補う、補足動画情報として記録されることを特徴とする記録媒体。
（３）撮像レンズと、前記撮像レンズから入射された光線を分離する光路分離器と、前記光路分離器で分離された光を受光し、第１の動画信号として出力する少なくとも１つの受光素子と、前記分配部で分離された光を受光し、第２の動画信号として出力する少なくとも１つの受光素子と、前記第１の動画信号を記録媒体に記録する第１の動画信号記録器と、前記第２の動画信号を記録媒体に記録する第２の動画信号記録器とを備えたオーディオビデオデータ同時記録装置であって、前記第２の動画は対応する第１の動画像ピクチャーデータのもつ情報を補う、補足動画画情報として記録媒体に記録するとともに、前記第２の動画信号に対応した前記第１の動画像のピクチャーにエントリーする場合に、その前記補足動画情報と動画情報から、第１の動画像データよりも、画像面内あるいは画像時間方向の密度の高い画像を構成し再生することを特徴とするオーディオビデオ信号再生装置。
（４）撮像レンズから入射された光線を２つに分離し、分離された光の１つを受光して動画信号として入力する動画像入力ステップと、分配部で分離されたもうひとつの光を受光し、静止画信号として出力する静止画像入力ステップと、前記動画信号を記録媒体に記録する動画信号記録ステップと、前記静止画信号を記録媒体に記録する静止画信号記録ステップとを備えたオーディオビデオデータ同時記録方法において、前記第２の動画は対応する第１の動画像ピクチャーデータのもつ情報を補う、補足動画情報として記録するステップをもつことを特徴とするオーディオビデオ信号記録方法。
（５）撮像レンズから入射された光線を２つに分離し、分離された光の１つを受光して動画信号として入力する動画像入力ステップと、分配部で分離されたもうひとつの光を受光し、静止画信号として出力する静止画像入力ステップと、前記動画信号を記録媒体に記録する動画信号記録ステップと、前記静止画信号を記録媒体に記録する静止画信号記録ステップとを備えたオーディオビデオデータ同時記録方法において、前記第２の動画は対応する第１の動画像ピクチャーデータのもつ情報を補う、補足動画画情報として記録媒体に記録するとともに、その前記補足動画情報と動画情報から、第１の動画像データよりも、画像面内あるいは画像時間方向の密度の高い画像を構成し再生するステップをもつことを特徴とするオーディオビデオ信号再生方法。
（６）撮像レンズと、前記撮像レンズから入射された光線を受光し、動画信号として出力すると同時に静止画信号として出力する受光素子と、前記第１の動画信号を記録媒体に記録する第１の動画信号記録器と、前記第２の動画信号を記録媒体に記録する第２の動画信号記録器とを備えたオーディオビデオデータ同時記録装置であって、前記第２の動画は対応する第１の動画像ピクチャーデータのもつ情報を補う、補足動画情報として記録されることを特徴とするオーディオビデオ信号記録装置。
（７）撮像レンズから入射された光線を受光して動画信号として入力する動画像入力すると同時に静止画信号として出力する静止画像入力ステップと、前記動画信号を記録媒体に記録する動画信号記録ステップと、前記静止画信号を記録媒体に記録する静止画信号記録ステップとを備えたオーディオビデオデータ同時記録方法において、前記第２の動画は対応する第１の動画像ピクチャーデータのもつ情報を補う、補足動画情報として記録するステップをもつことを特徴とするオーディオビデオ信号記録方法。
【発明の効果】
【００２７】
本発明は２つの受光素子をもち、２つの動画データ（動画データと補足動画データ）を生成し、補足動画は対応する動画像ピクチャーデータのもつ情報を補う補足動画情報を記録媒体に圧縮記録するとともに、前記補足動画信号に対応した前記動画像のピクチャーにエントリーする場合に、その前記補足動画情報と動画情報から、動画像データよりも、画像面内あるいは画像時間方向の密度の高い画像を構成し再生するようにしたので、従来の方法で記録する２つの動画像の情報量を加算した値の情報量よりも、情報量が減らすことができ、記録媒体の効率的な使用が可能となる。とくに動画がインターレースの場合、対応する補足動画情報は動画のインターレースのその時刻には存在しないもう片側のフィールドの情報のみをもつことで、プログレッシブ画像を再生するときに動画から復号されたフィールド(a)と、補足動画情報として動画のインターレースのその時刻には存在しないもう片側のフィールドの情報(b)を組み合わせて、(a) + (b) = (c)として高精細なプログレッシブの動画像(c)を得ることができる。また更には、動画像がプログレッシブ画像であった場合、対応する補足動画情報は、動画画像の時間方向の撮像タイミングの中間のタイミングにて撮像を行い、動画と補足動画の２つのビデオ表示画像を交互に表示することで、時間方向に２倍の密度になった動画像を再生することができる。これらは、元の動画像のフォーマットの互換性を保ったまま、新しい動画像再生を可能とし、記録容量も最小限に抑えた効率的な記録再生システムを実現することができる。
【発明を実施するための最良の形態】
【００２８】
以下、図面を参照しながら発明を実施するための最良の形態を説明する。
図１は本発明の実施例の好適なオーディオビデオ記録器のブロック図である。入力されたビデオ光はレンズ１０１を通して、光路分離器１０２に入力される。レンズ１０１と光路分離器１０２は、図５のようにレンズ群と、例えばプリズムを用いて２つの光路に分離される。プリズムでなくてもハーフミラーでも構わない。２つに分離された光は第１の受光素子１０４と、第２の受光素子１０５に入光される。受光素子は例えばＣＣＤやＣＭＯＳなどである。受光素子１０６からのデータはＡ／Ｄ変換されて、デジタルデータとしてそれぞれ動画符号化器１１５に入力される。また受光素子１０７からのデータはＡ／Ｄ変換されて、デジタルデータとして補足動画符号化器１１４へ入力される。一方、オーディオ入力器１０３からのオーディオデータはＡ／Ｄ変換器１０８にてデジタルデータに変換され、音声符号化器１１３に入力される。音声符号化器１１３は例えばドルビーＡＣ３などの圧縮を行うものである。
【００２９】
一方、ユーザーインターフェース１０９においては、動画をムービーで記録している途中において、ユーザーから、ボタンなどを押す動作に連携して、押したときのタイミング情報を入力してもらう。ＣＰＵ１１０を介して、補足動画像撮影タイミング信号発生器１１１において、補足動画録画開始信号と、同時に録画されているリンクされているビデオのプログラムナンバーと、リンクされているビデオの先頭ピクチャータイムコードを、補足動画符号化器１１４に送信する。
【００３０】
ビデオのプログラムナンバーは表３のLinked＿video＿programの領域に、表１のV＿PR＿IFOの２番目のPR＿numberの値である。ビデオのピクチャータイムコードは同時に録画されているリンクされているビデオの所謂タイムコードであり、ＭＰＥＧなどでもＧＯＰ単位にＧＯＰヘッダーとして時分秒フレーム数で記述されているタイムコードと同じもので良い。また、この情報は動画データのなかのピクチャーを特定できる情報（動画像のピクチャーの位置情報）であればタイムコードでなくても、先頭からのフレーム数であったり、先頭からのアドレス（バイト数）であっても良い。
【００３１】
また、同時に補足動画録画開始信号と、補足動画の識別情報（後述するS＿PRN）を、動画符号化器１１５にも送信し、動画符号化データの１ピクチャー毎に記録できるＭＰＥＧのユーザーデータ領域に、そのタイミングに同期して符号化される補足動画の識別情報（後述するS＿PRN）を記述する。これは表３の補足動画の情報のうち、補足動画１シーンずつに記述される補足動画プログラムのナンバーである。この情報があると、動画再生中に、動画フレームと同じタイミングで撮影した補足動画像の先頭位置を特定できる。動画中へのデータの書き込みは図２のようにＭＰＥＧのピクチャーデータのなかのユーザーデータの領域に記述する。ユーザーデータは表３のＭＰＥＧ２のビデオレーヤのシンタックスにおけるUser＿data()を使用する。user＿data（）は、user＿start＿codeという一意い決定できるバイトアラインされたスタートコードから始まり、次に0x000001の３バイトを受信するまで、user＿dataを続けることができる。ここに静止画の識別情報（後述するS＿PRN）を記述する。その際、他のアプリケーションでuser＿data()を使用している可能性もあるので、user＿data()のuser＿start＿codeのあとに、本方式のデータであることを示す、４バイト程度のユニークコード0x22220204を記述する。これにより他の用途で使用するユーザーデータとの混同は防げる。
【００３２】
さらにＣＰＵ１１０は管理データメモリー１１２に、補足動画の識別情報（後述するS＿PRN）の書き込みなどの制御信号を送信する。また、補足動画撮影タイミング信号発生器１１１からは、その制御信号に従って管理データメモリー１１２に静止画の識別情報（後述するS＿PRN）を書き込む。管理データ１１２に記録されているデータはディスクフォーマット器１１８からの多重化されたオーディオビデオ信号データとともに、ＣＰＵ１１０からの制御信号に従って、記録媒体書き込み部１１８によって記録媒体１２０に記録される。また、補足動画撮像タイミング信号発生器１１１からは動画符号化器１１５に、補足動画撮像タイミング信号が入力される。補足静止画符号化器１１４、動画符号化器１１５は例えばＭＰＥＧ２での圧縮を行うものである。それぞれの符号化された符号化データは、多重化器１１６にて、１つのデータに多重化される。多重化されたデータはディスクフォーマット器１１７にて、後述するディスクフォーマットにてフォーマット化され、記録媒体書き込み器１１８へ入力される。
【００３３】
なお、この記録装置は図７のように、光路分離器を用いて２つの光路に分離されなくても構わない。ＣＣＤやＣＭＯＳなどで十分に解像度の高い読み出しを行える仕様の素子であって、スイッチ１０５のように、動画と補足動画を切り替える手段、並びに、通常の動画用に解像度を低くする解像度変換器１０７と等価な回路（素子の読み出しを、工夫して複数の画素を加算して読み出すなど）があれば、本発明を１つの素子で実現できる。
【００３４】
次に補足動画情報発生方法を、図４を用いて説明する。図４（１）は通常の動画を撮影中に、補足動画を記録するときの概念説明図である。５コマの動画像は連続する動画とする。右方向が時間軸である。ちょうど中心の画像のコマ(a)に、補足動画撮像タイミングがあったとすると、ユーザーがそのタイミングで補足動画用のシャッターボタンを押す。その結果、補足動画録画撮像の先頭のタイミングと、録画データが取り込まれる。はじめに図４（２）において、インターレース時のフィールドの表現の定義を説明する。インターレース動画像は通常奇数ラインで構成されるフィールドと、偶数ラインで構成されるフィールドが存在する。ここではフレームにマージしたときに一番上のラインを含むフィールド(a)をTop＿fieldとし、２番目のラインを含むフィールド(b)をbottom＿fieldと定義する。また、図４（３）のようにtop＿fieldとbottom＿fieldがマージされ、撮像も同時刻になされた画像をprogressive＿frameとする。
【００３５】
実施例１の場合を説明する。例えば、動画像がプログレッシブ画像とする。たとえば６０Ｈｚのプログレッシブ画像であれば、補足動画像は図４（４）の(b)のように、その間を埋めるような時間タイミングで補足動画を撮影する。動画像と、補足動画像はどちらも６０Ｈｚのプログレッシブフレームで構成された画像であり、画像サイズも同じで符号化する。再生時には(a)のように、動画の間に、補足動画の表示タイミングを持たせる。これは多重化するときにＭＰＥＧ２などの多重化規格などで表示タイミングを示すPresentation＿Time＿Stampなどを用いることで用意に実現できる。結果的に(a)のように時間方向に２倍の密度を持った１２０Ｈｚのプログレッシブフレーム動画像を再生することができる。
【００３６】
実施例２の場合を説明する。例えば、動画像がインターレース画像とする。たとえば６０Ｈｚのフィールド画像であれば、補足動画像は図４（５）の(b)のように、動画像データの存在するフィールドのもう片方のフィールドとして撮像記録をする。即ち、動画像がtop＿fieldであれば、補足動画像はbottom＿fieldとする。また時間方向密度は変化させないのでの、動画像のフィールド時間タイミングで補足動画を撮影する。動画像と、補足動画像はどちらも６０Ｈｚのインターレースフィールドで構成された画像であり、画像サイズも同じで符号化する。再生時には(a)のように、動画のフィールドと同じ時刻に補足動画の表示タイミングを持たせる。これは多重化するときにＭＰＥＧ２などの多重化規格などで表示タイミングを示すPresentation＿Time＿Stampなどを用いることで用意に実現できる。結果的に(a)のように時間は同じで、垂直方向に２倍の密度を持った６０Ｈｚのプログレッシブフレーム動画像を再生することができる。
【００３７】
図３は本発明の実施例の好適なオーディオビデオ再生器のブロック図である。まず記録媒体２０１からＣＰＵ２０４からの制御信号により記録媒体読み出し器２０２によって、オーディオビデオデータと、管理データが読み込まれる。管理データは管理データメモリー２０６に記録される。オーディオビデオデータはディスクフォーマットデコーダー器２０５に入力される。ディスクフォーマットデコーダー器２０５では、後述するディスクフォーマットをフォーマットデコード化して多重化分離器２０７に入力される。多重化分離器２０７では、各要素のデータが多重化されている状態から、各要素データへと分離し、音声データは音声復号器２０９、補足動画データは補足動画復号器２１０、動画データは動画復号器２１１へ入力される。動画を再生する場合には、動画と音声データはそれぞれ動画出力器２１４、音声出力器２１３に伝送され表示出力される。
高密度動画表示の場合には、補足動画復号器２１０からの復号された補足動画は高密度動画像構成器２１２に伝送される。
【００３８】
これはＣＰＵ２０４との制御信号のやり取りにより、画面上でユーザーが高密度動画像表示を選択した場合に、管理データメモリー２０６の情報を用いて、対応する動画における高密度動画再生の頭の位置をランダムアクセスする位置情報（表３のlinked＿video＿program＿numberとlinked＿video＿entry＿time）を得る。ＣＰＵからのランダムアクセスする位置情報は、ランダムアクセス時間制御器２０８に伝送される。ランダムアクセス時間制御器２０８では、アクセスする位置情報のうち、linked＿video＿program＿numberを用いて、アクセスする対象のビデオプログラムデータを特定し、linked＿video＿entry＿timeを用いて、そのアクセス位置情報へいく制御信号を記録媒体読み出し器２０２に伝送する。動画復号器２１１は復号された動画データを高密度動画像構成器２１２に伝送する。高密度動画像構成器２１２では、例えば、図４の（４）の実施例１の場合には、復号動画像は７２０ｘ４８０画素１２０Ｈｚプログレッシブフレーム動画となる。補足静止画像は(b)の画像（７２０ｘ４８０画素の６０Ｈｚプログレッシブフレーム動画）である。高密度動画像構成器２１２ではこの２つのプログレッシブ画像を時間方向に交互にマージして高密度動画(a)の画像を構成する。またもうひとつの例として図４の（５）の実施例２の場合には、復号動画像は７２０ｘ２４０画素のインターレース画像となる。補足静止画像は（ｂ）も７２０ｘ２４０画素のインターレース画像であるが、復号動画とはtop＿fieldとbottom＿fieldの位相が逆になっている。高密度動画像構成器２１２ではこの２つの画像を、プログレッシブにマージして高密度動画（a）の画像を構成する。
【００３９】
次にディスクフォーマット化器１１７でフォーマット化、及び、ディスクフォーマットデコーダー器２０５でフォーマットデコードされるデータ構造について説明する。
本発明の実施形態に関わるディレクトリ、ファイル構造の例を図１５に示す。ディレクトリ名やファイル名は本発明の実施形態を説明する目的で使われており、これ以外の名称を否定するものではない。ルートディレクトリ（図示しない）の下にJVC＿HDVD＿SYSTEMディレクトリがあり、その下に、本発明に関わる全ての管理データ及びオーディオ、ビデオ、補足動画データが保存される。
【００４０】
TMG.ifo（Total Manager Information）は、オリジナル管理データ（以下、プログラムセットとも呼ぶ）及びユーザー定義管理データ（以下、プレイリストとも呼ぶ）を記録する為のファイルである。構造を図１６に示す。詳細は後述する。
【００４１】
V＿PR＿SETは、ビデオのプログラムをビデオオブジェクトとして記録する為のディレクトリであり、その中にビデオの各プログラムがV＿PRn.dat （ここで、nは1から開始されるプログラム番号）として記録される。プログラムにはビデオオブジェクトが、MPEG-2システム規格のプログラムストリームまたは、トランスポートストリームとして記録される。
A＿PR＿SETは、オーディオのプログラムをオーディオオブジェクトとして記録する為のディレクトリであり、その中にオーディオの各プログラムがA＿PRn.dat （ここで、nは1から開始されるプログラム番号）として記録される。プログラムにはオーディオオブジェクトが、MPEG-2システム規格のプログラムストリームまたは、トランスポートストリームとして記録される。
【００４２】
ビデオまたはオーディオオブジェクトをプログラムストリームとして記録する場合には図９のように、ＭＰＥＧ多重化規格のフォーマットに従い、要素データ毎にパック化を行う。オブジェクトはパックの集合として記録され、各パックにはパックヘッダがあり、その後にパケットが記録される。パケット内にはパケットヘッダと、ビデオ又はオーディオデータが少なくとも記録され、必要に応じてプライベートヘッダがパケットヘッダの直後に記録される場合がある。
【００４３】
S＿PR＿SETは、補足動画のプログラムを補足動画オブジェクトとして記録する為のディレクトリであり、その中に補足動画の各プログラムがS＿PRn.jpg （ここで、nは1から開始されるプログラム番号）として記録される。ここではＭＰＥＧ形式の静止画記録を想定している。各ＭＰＥＧファイルが１シーンつの補足動画オブジェクトに対応する。
なお、図１５ではビデオ、オーディオ、補足動画のプログラムに関するファイル群をそれぞれ異なるディレクトリ下に記録する例を示したが、３種全てのファイル群を同一ディレクトリ、例えばAVS＿PR＿SETなど、の下に記録するようにしても、本発明の趣旨と相違しない。さらには、ビデオのプログラムをそれぞれ一つのファイルV＿PRn.datとして記録する例、及びオーディオのプログラムをそれぞれ一つのファイルA＿PRn.datとして記録する例を示したが、全てのビデオプログラムを同一のファイル、例えばV＿PR.dat内に連続して記録し、V＿PR.dat内のどの部分がどのプログラムデータに相当するかを別途の情報として保持するようにしても良い。A＿PR.datについても同様である。
【００４４】
次に、TMG.ifoのデータ構造例を図１６に示す。TOTAL＿MAN＿IFO（Total Manager Information）は、GENERAL＿IFO（General Information）、CNTNT＿IFO（Content Information）及びSTATUS＿IFO（Status Information）からなる。
【００４５】
GENERAL＿IFOは、System IDやVersion number、 及びCNTNT＿IFOとSTATUS＿IFOの先頭アドレスなど、TOTAL＿MAN＿IFOの一般情報を含み得る。詳細を表６に記述する。STATUS＿IFOは、最後に再生したプログラムの種類や番号など、ステータスに関する情報を含み得る。
CNTNT＿IFOは、ビデオプログラム情報テーブルV＿PR＿IFOT（Video Program Information Table）、オーディオプログラム情報テーブルA＿PR＿IFOT（Audio Program Information Table）、静止画プログラム情報テーブルS＿PR＿IFOT（Still picture Program Information Table）、及びユーザー定義管理データに相当するプレイリスト情報テーブルPL＿IFOT（Play List Information Table）から成る。V＿PR＿IFOT、A＿PR＿IFOT及びS＿PR＿IFOTの３つが（従来例の）オリジナル管理データに相当する。
【００４６】
更に、V＿PR＿IFOTは、各ビデオプログラムのビデオプログラム情報V＿PR＿IFO＿i（iは1からnまでの整数）を含む。
A＿PR＿IFOTは、各オーディオプログラムのオーディオプログラム情報A＿PR＿IFO＿j（jは1からmまでの整数）を含む。S＿PR＿IFOTは、各静止画プログラムの静止画プログラム情報S＿PR＿IFO＿k（kは1からqまでの整数）を含む。PL＿IFOTは、各プレイリストの情報PL＿IFO＿p（pは1からrまでの整数）を含む。なお、以下では上述のi、 j、 k、 pをそれぞれPR＿IFO番号と呼ぶことにする。
【００４７】
表１にV＿PR＿IFO＿iのデータフィールドと内容の例を示す。データフィールドの中で、PR number （V＿PRN）はこのビデオプログラムの番号を示し、V＿PR＿IFO番号と等しい。Video Group number (V＿GRN)は、このプログラムが属するビデオグループの番号を示す。V＿ATRには表１の下の表にあるようなシンタックスを記述する。ここには、ビデオの画像がどんな圧縮方式で記録されているのかを示す、Video＿compression＿modeや、ＰＡＬやＮＴＳＣのＴＶシステムを識別するTV＿system情報、アスペクト情報、それに水平、垂直の画素数、が記録される。その他のデータフィールドについてはここでは説明を省略する。なお、V＿PR＿IFOはビデオプログラムの再生に必要なアドレス情報や属性情報、テキスト等の付随情報を収める為のものであり、表１の例以外にも様々な情報構造をとり得ることに注意されたい。
【００４８】
表２にはA＿PR＿IFO＿jのデータフィールドと内容の例を示す。データフィールドの中で、PR number （A＿PRN）はこのオーディオプログラムの番号を示し、A＿PR＿IFO番号と等しい。Audio Group number (A＿GRN)は、このプログラムが属するオーディオグループの番号を示す。Track number (TKN)はオーディオグループ内のトラック番号を示す。その他のデータフィールドについてはここでは説明を省略する。なお、A＿PR＿IFOはオーディオプログラムの再生に必要なアドレス情報や属性情報、テキスト等の付随情報を収める為のものであり、表２の例以外にも様々な情報構造をとり得ることに注意されたい。
【００４９】
表３には、S＿PR＿IFO＿kのデータフィールドと内容の例を示す。この構造は基本的にV＿PR＿IFOと同じ構造である。違いは以下の２つのパラメータである。Linked＿video＿program＿numberには、この静止画とリンクされているビデオのPR＿numberを記述する。なお、リンクされていない場合には０を記述する。また、Linked＿video＿entry＿timeにはリンクされているビデオのピクチャーのタイムコードを記述する。S＿ATRは表３の下の表のシンタックスに示したように、ビデオの画像がどんな圧縮方式で記録されているのかを示す、Video＿compression＿modeや、ＰＡＬやＮＴＳＣのＴＶシステムを識別するTV＿system情報、アスペクト情報が記録される。また、supplement＿infoには補足動画データが、対応する動画のもう片方のフィールド画像として記録されている場合にはそのフィールドがtop＿fieldで開始されているのか、bottom＿fieldで開始されているのかを識別する情報、あるいは、そのどちらでもなく、プログレッシブフレームとして記録されている(progressive＿frame)かを識別する情報を記録する。その他のデータフィールドについてはここでは説明を省略する。なお、S＿PR＿IFOは静止画プログラムの再生に必要な属性情報、テキスト等の付随情報を収める為のものであり、表３の例以外にも様々な情報構造をとり得ることに注意されたい。
【００５０】
表４には、PL＿IFO＿pのデータフィールドと内容の例を示す。データフィールドの中で、PL numberはこのプレイリストの番号を示す。num＿of＿ud＿programsは、このプレイリストに含まれるユーザー定義プログラム数を示す。一つのユーザー定義プログラムUD＿PR（User Defined Program）内には、一つ以上のビデオプログラム、一つ以上のオーディオプログラムまたは一つ以上の静止画プログラムが収録される。または、一つ以上のオーディオプログラムと、それと同時に再生すべき一つ以上の静止画プログラムが収録される場合もある。UD＿PR＿modeは、再生すべきUD＿PRがビデオ、オーディオ、静止画のいずれのプログラムを含むかを示す。その他のデータフィールドについてはここでは説明を省略する。各プログラムの機能、プログラムとユーザー定義プログラム、プレイリストの関係などについては後述する。なお、PL＿IFOは各プログラムを関連付けて再生するのに必要な情報を収める為のものであり、表４の例以外にも様々な情報構造をとり得ることに注意されたい。
【００５１】
次に、本発明の記録方法について図６のフローチャートを用いて説明する。まずステップ６０１において記録のスタートをする。次にステップ６０２において動画像と音声のデータ録画を開始する。次にステップ６０３において高密度動画を記録するかを判断する。録画する（ＹＥＳ）という場合には、例えばユーザーから高密度動画記録を指示するボタンなどのユーザーインターフェースにて行う。ボタンはたとえば１回押すと動画記録がスタートし、同じボタンを２度目におすと高密度動画を記録するなど、ユーザーが使いやすいようなボタン操作インターフェースを実装するのが好ましい。次にステップ６０４にて高密度動画データの取り込みをする。次にステップ６０５にて前述の方法により補足動画データを作成する。次のステップ６０６により高密度動画撮像タイミング信号を発生させる。次にステップ６０７にて入力データの蓄積符号化を行う。動画データ、補足動画データは一時メモリーして、ＭＰＥＧ２圧縮符号化を行う。またオーディオデータは動画とともに連続して、所定の単位時間メモリーしたあとドルビーＡＣ３やＭＰＥＧ音声符号化などの圧縮符号化を行う。次にステップ６０８において符号化されたデータを要素データ（ビデオやオーディオなどの要素）をパック化して、識別ヘッダーやタイムスタンプなどを付加して多重化を行う。次にステップ６０９において動画データのピクチャー毎のユーザーデータ領域に、対応する補足動画の識別信号を記録する。これは前述のように、そのタイミングに同期して符号化される補足動画の識別情報（後述するS＿PRN）である。これは表３の補足動画の情報のプログラムのナンバーである。その次にステップ６１０において、多重化されたデータと前記ユーザーデータを、図１５のフォーマットにしたがってフォーマット化し、バッファリングする。バッファにある程度のデータ量が蓄積されたら、記録媒体に記録する。次にステップ６１１において記録が終了したかどうかを判定し、終了（ＹＥＳ）であればステップ６１２に進み、記録結果に基づいて管理データ（補足動画毎のLinked＿video＿program、 Linked＿video＿entory＿timeを含むＩＦＯ）を図１６のフォーマットにしたがってフォーマット化し、記録媒体に記録する。次にステップ６１３に進み終了する。またステップ６１１で終了でない（ＮＯ）であればステップ６０２へ戻る。
【００５２】
次の図８のフローチャートを用いて、本発明の再生方法について説明する。まずステップ８０１において再生のスタートをする。次にステップ８０２において記録媒体から管理データ（ＩＦＯ）を読み取り、メモリーに展開する。次にステップ８０３において、通常動画再生か、高密度動画再生かを選択する。動画再生の場合にはステップ８０５において動画データの再生を行う。次にステップ８１１において動画データの表示を行う。次にステップ８１２において動画再生が終了したかを判定する。終了（Ｙ）の場合にはステップ８１３に進み終了する。終了でない（ＮＯ）場合にはステップ８０５に戻る。一方、ステップ８０３において高密度動画再生の場合には、ステップ８０４において補足動画データを再生する。次にステップ８０６において補足動画毎のLinked＿video＿program値とLinked＿video＿entry＿timeの値を読み出す。次にステップ８０７において補足動画に対応した動画データを再生する。次にステップ８０８において補足動画データ再生画像と対応する動画再生画像のマージを行う。次にステップ８０９においてマージした高密度画像データを再生する。次にステップ８１０においては高密度画像データ再生が終了かどうかを判定する。終了しない（ＮＯ）の場合にはステップ８０４に戻る。全部終了する場合（ＹＥＳ）にはステップ８１３に進み終了する。
【００５３】
なお、本実施例では、記録媒体を特定していないが、ランダムアクセスできる記録媒体、例えばハードディスクや光ディスクなどであればどんな記録媒体であっても良い。
また、記録媒体にデータを記録しなくても、通信、放送などあらゆる伝送媒体を経由してデータを送信することが可能で、その場合には、記録装置は伝送装置として使用することもできる。また再生装置は受信装置として使用することも可能である。
【００５４】
また、本発明の信号データを記録した記録媒体は、図１５、図１６、表１、表２、表３、表４、表６に示したフォーマット構造が記録されていて、さらに、補足動画は対応する動画像ピクチャーデータのもつ情報を補う補足動画情報を記録媒体に圧縮記録するとともに、前記補足動画信号に対応した前記動画像のピクチャーにエントリーする場合に、その前記補足動画情報と動画情報から、動画像データよりも、画像面内あるいは画像時間方向の密度の高い画像を構成し再生するようにしたので、従来の方法で記録する２つの動画像の情報量を加算した値の情報量よりも、情報量が減らすことができ、記録媒体の効率的な使用が可能となる。これらは、元の動画像のフォーマットの互換性を保ったまま、新しい動画像再生を可能とし、記録媒体の効率的なシステムを好適に実現することができる。
【００５５】
また、記録媒体は、媒体という定義はデータを記録できる媒体という、狭義な媒体というものだけでなく、信号データを伝送するための電磁波、光などを含む。また、記録媒体に記録されている情報は、記録されていない状態での、電子ファイルなどのデータ自身を含むものとする。
【００５６】
【表１】
2006197336.tif 000003
【００５７】
【表２】
2006197336.tif 000004
【００５８】
【表３】
2006197336.tif 000005
【００５９】
【表４】
2006197336.tif 000006
【００６０】
【表５】
2006197336.tif 000007
【００６１】
【表６】
2006197336.tif 000008
【００６２】
【表７】
2006197336.tif 000009
【図面の簡単な説明】
【００６３】
【図１】本発明記録装置の第一実施例を示すブロック図である。
【図２】本発明に関連するＭＰＥＧのユーザーデータ中に記録するデータ構造の説明図である。
【図３】本発明再生装置の実施例を示すブロック図である。
【図４】本発明に関連する補足動画の構成例の説明図である。
【図５】本発明装置を構成する光学系部分の一実施例を示す構成図である。
【図６】本発明装置の動作を説明するためのフローチャートである。
【図７】本発明記録装置の第二実施例を示すブロック図である。
【図８】本発明装置の動作を説明するためのフローチャートである。
【図９】従来技術におけるＭＰＥＧ規格のデータパック構造を示す説明図である。
【図１０】従来技術におけるMPEG符号化器のブロック図である。
【図１１】従来技術におけるMPEG復号化器のブロック図である。
【図１２】従来技術におけるディレクトリ、ファイル構造例の説明図である。
【図１３】従来技術におけるオリジナルPGCの構造を示す説明図である。
【図１４】従来技術におけるユーザー定義PGCの構造を示す説明図である。
【図１５】本発明に関連するディレクトリ、ファイル構造の例を示す図である。
【図１６】本発明に関連するTMG.ifoのデータ構造例を示す図である。
【符号の説明】
【００６４】
１０１  レンズ
１０２  光路分離機
１０３  オーディオ入力器
１０４  受光素子
１０５  受光素子
１０６  Ａ／Ｄ変換器
１０７  Ａ／Ｄ変換器
１０８  Ａ／Ｄ変換器
１０９  Ｕ／Ｉ
１１０  ＣＰＵ
１１１  補足動画撮像タイミング信号発生器
１１２  管理データメモリ
１１３  音声符号化器
１１４  静止画符号化器
１１５  動画符号化器
１１６  多重化器
１１７  ディスクフォーマット器
１１８  記録媒体書き込み器
１１９  記録媒体
【図１】
2006197336.tif 000010
【図２】
2006197336.tif 000011
【図３】
2006197336.tif 000012
【図６】
2006197336.tif 000013
【図７】
2006197336.tif 000014
【図８】
2006197336.tif 000015
【図９】
2006197336.tif 000016
【図１０】
2006197336.tif 000017
【図１１】
2006197336.tif 000018
【図１２】
2006197336.tif 000019
【図１３】
2006197336.tif 000020
【図１４】
2006197336.tif 000021
【図１５】
2006197336.tif 000022
【図１６】
2006197336.tif 000023
【図４】
2006197336.tif 000024
【図５】
2006197336.tif 000025